(57)【要約】【課題】土台等の建材の高さを容易に調節できるようにすること。【解決手段】土台１０の高さ調節構造において、地面５０に立設され雄ネジ部分４１を有する杭４０と、雄ネジ部分４１に螺合し、土台１０の底面１２に取付具３０により回動自在に取り付けられたナット２０とを備え、ナット２０を回動させることにより、土台１０が上下に移動すること。さらに、土台１０の底面１２に縦孔１３が形成され、縦孔１３内に杭４０の雄ネジ部分４１を挿入可能であること。さらに、杭４０の中間部に台座部４５が取り付けられ、この台座部４５に地面５０に食込むことができる爪４５ｂが形成されていること。【選択図】        図１
2004211359.tif 000002
【特許請求の範囲】
【請求項１】
地面に立設され雄ネジ部分を有する杭と、
前記雄ネジ部分に螺合し、建材の底面に取付具により回動自在に取り付けられたナットとを備え、
前記ナットを回動させることにより、前記建材が上下に移動することを特徴とする建材の高さ調節構造。
【請求項２】
請求項１に記載した建材の高さ調節構造であって、
前記建材の底面に縦孔が形成され、この縦孔内に前記杭の雄ネジ部分を挿入可能であることを特徴とする建材の高さ調節構造。
【請求項３】
請求項１または２に記載した建材の高さ調節構造であって、前記杭の中間部に台座部が取り付けられ、この台座部に地面に食込むことができる係止部が形成されていることを特徴とする建材の高さ調節構造。
【発明の詳細な説明】
【０００１】
【発明の属する技術分野】
本発明は、家屋等の土台に関し、特に地面からの高さを調節できる土台に関するものである。
【０００２】
【従来の技術】
通常、家屋等の土台はその高さが家屋の建設時に固定され、例外的に土台が水平になっていないときに、家屋の土台の高さを調節する場合がある。（例えば特許文献１）
この場合、基礎に土台を固定する土台緊結構造が採用され、具体的には前記土台の側方から操作可能な構成としたボルト・ナットにより前記基礎と土台を緊結し、前記基礎と土台との間に高さ調節用スペーサを介挿可能とした土台緊結構造となっている。
これにより、土台の側方からボルト・ナットを締める操作または緩める操作を行い、基礎と土台の間に高さ調節用スペーサを介挿して、土台の上下方向の位置を調節することができる。このため、前記介挿するスペーサの厚さおよび枚数を調節して土台の高さを調節することができる。
【０００３】
【特許文献１】特開２００１−３０３５８２
【０００４】
【発明が解決しようとする課題】
しかし、上記従来例では、土台の高さを調節するために、土台と基礎との間に介挿するスペーサの厚さおよび枚数を調節しなければならず、このため、土台の高さの調節が容易ではなかった。
そこで、本発明が解決しようとする課題は、土台の高さの調節を容易にすることである。
【０００５】
【課題を解決するための手段】
上記課題を解決するため、請求項１記載の発明は、地面（コンクリート面、舗装面等を含む）に立設され雄ネジ部分を有する杭と、前記雄ネジ部分に螺合し、建材の底面（底面の切欠および凹部を含む）に取付具により回動自在に取り付けられたナットとを備え、前記ナットを回動させることにより、前記建材が上下に移動することを特徴とする建材の高さ調節構造である。
これにより、地面に立設された杭がナットを介して建材の重量を支えるので、スパナ等の工具を使用してナットを回動させて、ナットを上下させることにより、建材が上下に移動するため、建材の地面からの高さを調節することができる。
その際、取付具によりナットが建材の底面に回動自在に取り付けられているので、ナットと建材との結合が確実になっているため、ナットが建材の底面から外れることがない。
【０００６】
さらに、請求項２記載の発明は、請求項１に記載した建材の高さ調節構造において、前記建材の底面に縦孔が形成され、この縦孔内に前記杭の雄ネジ部分を挿入可能であることである。
これにより、ナットの上側に突出する雄ネジ部分が建材の底面に設けた縦孔内に収容されるので、建材の高さを広い範囲で調節することが容易になる。
【０００７】
さらに、請求項３記載の発明は、請求項１または２に記載した建材の高さ調節構造において、前記杭の中間部に台座部が取り付けられ、この台座部に地面に食込むことができる係止部（爪を含む）が形成されていることである。
これにより、前記杭の中間部に取り付けられた台座部の係止部を地面に食込ませることにより、杭の位置を安定させることができる。
【０００８】
【発明の実施の形態】
以下、本発明における実施の形態を図面に基づいて説明する。図１は、本発明の実施の形態に係る建材の高さ調節構造を示し、図２は図１のＩＩ−ＩＩ断面を示し、図３は図２のＩＩＩ−ＩＩＩ断面を示し、図４は図２のＩＶ−ＩＶ断面を示す。
【０００９】
図１に示すように、杭４０は、その上端部に雄ネジ部分４１が形成され、その先端部４２側に杭４０の打ち込み方向を安定させる一対の羽根状部４３、４４が形成されている。さらに、杭４０の中間部（例えば雄ネジ部分４１の下端部）が台座部４５の中心孔４５ａを挿通するように、台座部４５が杭４０の中間部に溶接により取り付けられている。台座部４５の四隅に下向きの爪４５ｂ（特許請求の範囲における「係止部」の一例である。）が台座部４５と一体に形成されている。杭４０を二点鎖線で示す地面５０に立設したとき（地面５０から地中に打込んだときを含む）に、爪４５ｂが地面５０に食込んで、杭４０の位置を固定する働きをすることができる。
【００１０】
建物の土台１０は、その長手方向が水平に配置され、土台１０の上面１１から底面１２まで貫通する縦孔１３が形成されている。
取付具（金具）３０は、図２、図３および図４に示すように、頭３７を備えた４本のボルト３６で土台１０の底面１２に取り付けられている。
【００１１】
図２に示すように、雄ネジ部分４１に螺合したナット２０が取付具３０により土台１０の底面１２に回動自在に取り付けられている。ここで、ナット２０の本体部２１の図示上端部にフランジ部２２が一体に形成され、本体部２１の中心孔に雌ネジ２３が形成され、この雌ネジ２３が雄ネジ部分４１に螺合している。そして、取付具３０は、ナット２０のフランジ部２２を土台１０の底面１２に回動自在に取り付けている。図３に示すように、フランジ部２２の外周部２４と取付具３０の内周部３１はともに円形に形成されているので、ナット２０の前記回動が容易になっている。また、取付具３０の図示下端の開口部３２の径がナット２０のフランジ部２２の外周部２４の径より小さいので、取付具３０はナット２０を確実に土台１０の底面１２に取り付けている。
【００１２】
ナット２０の雌ネジ２３と螺合した雄ネジ部分４１のナット２０より上に突出した部分が、土台１０の底面１２から縦孔１３に挿入される。そして、ナット２０を回動させて、その雌ネジ２３が雄ネジ部分４１と螺合する位置を上下させることができ、これにより、ナット２０を介して杭４０で支えられた土台１０の底面１２の地面５０からの高さを調節することができる。
【００１３】
図５は、上記実施の形態の変形例を示す。図５では、図１の土台１０の代わりに、柱６０の底面６１（下端部）を杭４０がその雄ネジ部分４１に螺合したナット２０を介して支えている。図５のその他の事項は、図１の場合と同様である。
具体的には、柱６０の底面６１の中央部から上方に縦孔６２が形成され、杭４０の雄ネジ部分４１が縦孔６２に挿入されている。そして、底面６１に取付具３０によって取り付けられたナット２０の雌ネジ２３に杭４０の雄ネジ部分４１が螺合している。このため、図示しないスパナ等の工具によりナット２０を回動させてナット２０を上下に移動させると、柱６０の底面６１の地面５０からの高さを調節することができる。
【００１４】
なお、上記実施の形態において、家屋等の土台１０および柱６０の高さを調節しているが、これに限定されず、土台１０および柱６０を含む建材全体の高さを調節することができる。
また、土台１０の底面１２および柱６０の底面６１は、平坦なものに限定されず、底面の切欠、凹部等を含む。
また、図１の実施の形態において、土台１０の上面１１から縦孔１３を通過する予備的な杭を地面５０に突き刺して孔を地中に形成し、この地中の孔に杭４０を打ち込むと、杭４０の位置決めおよび地中への打ち込みが容易になる。
【００１５】
【発明の効果】
請求項１記載の発明によれば、建材の地面からの高さを容易に調節することができるので、前記建材が使用されている建物の建築、修理および保守が容易になる。
さらに、請求項２記載の発明によれば、請求項１記載の発明の効果とともに、建材の高さを広い範囲で調節することが容易になるので、建物の建築、修理および保守が一層容易になる。
さらに、請求項３記載の発明によれば、請求項１または２記載の発明の効果とともに、杭の位置を安定させることができるので、建材の安定度が向上する。
【図面の簡単な説明】
【図１】本発明の実施の形態に係る建材の高さ調節構造を示す斜視図である。
【図２】図１のＩＩ−ＩＩ断面を示す断面図である。
【図３】図２のＩＩＩ−ＩＩＩ断面を示す断面図である。
【図４】図２のＩＶ−ＩＶ断面を示す断面図である。
【図５】図１の変形例を示す斜視図である。
【符号の説明】
１０  土台（建材）
１２  底面
１３  縦孔
２０  ナット
４０  杭
４１  雄ネジ部分
４５  台座部
４５ｂ  爪（係止部）
５０  地面
６０  柱（建材）
６１  底面
６２  縦孔
【図１】
2004211359.tif 000003
【図２】
2004211359.tif 000004
【図３】
2004211359.tif 000005
【図４】
2004211359.tif 000006
【図５】
2004211359.tif 000007